(57)【特許請求の範囲】
【請求項１】
スノーボード（１）のデッキ部分（５）の表面に貼り付けるデッキパット（７）であって、
突出方向に挿入孔（１１）を有する軟質合成樹脂材からなる複数個の突起（９）を配置した、前記スノーボード（１）の滑降中の曲がりによるデッキ部分（５）の変形に追従するように軟質合成樹脂材からなるシート材（１０）と、
前記突起（９）の挿入孔（１１）にその先端部（１２ａ）が露出すると共に、該突起（９）挿入孔（１１）から簡単に抜けないように挿入した、該突起（９）より硬質の合成樹脂材からなる、先端部（１２ａ）が細く後端部（１２ｂ）が太くなるように形成した心材（１２）と、から成り、
前記スノーボード（１）のデッキ部分（５）に、前記シート材（１０）の裏面を貼り付け得るように構成した、ことを特徴とするスノーボード専用デッキパット。
【請求項２】
前記シート材（１０）の中央部分に、前記スノーボード（１）の長手方向に対して直角になるように、該シート材（１０）の素材より硬質の素材からなる雪掻き用のエッジ（１３）を形成した、ことを特徴とする請求項１のスノーボード用デッキパット。
【発明の詳細な説明】
【０００１】
【発明の属する技術分野】
本発明は、スノーボードのデッキ部分の表面に貼り付ける滑り止め用デッキパットに係り、特にスノーブーツの靴底に付いている硬くなった雪の塊を掻き落とすことができるスノーボード用デッキパットに関するものである。
【０００２】
【従来の技術】
スノーボード１は、図５及び図６に示すように、グラスファイバー、木製、ポリウレタン、ケプラー又はカーボンファイバー等の板材を基材として略長板形状に成型したボード２の上面に足を入れる一対のビンディング３、４を設けたものである。このように構成したスノーボード１は、両ビンディング３、４に足を入れてボード２上に載り、雪上を滑走するものである。
【０００３】
このスノーボード１の使用に際して、ゲレンデのリフトに乗り降りするときは、ボード２の後部側に位置する足をビンディング４から外し、前側の足でボード２を吊下げ保持することになるが、リフトを降りる時には斜度があるため、ボード２上の両ビンディング３、４間に位置するデッキ部分５に後の足を置く必要がある。
【０００４】
しかし、ボード２のデッキ部分５は平滑面になっているため、スノーブーツを履いた足を載せたときに滑りやすく、転倒の危険性がある。そこで、従来からボード２のデッキ部分５の表面に滑り止めのために貼り付けて使用するデッキパット６が種々提案されている。
【０００５】
【発明が解決しようとする課題】
しかし、従来のデッキパット６は、ボード２のデッキ部分５の表面に多数のゴム製又は合成樹脂製の突起を貼り付けたものである。この種のゴム製又は合成樹脂製のデッキパット６は、スノーボード１の使用中に簡単に変形したり、或いは磨耗したりして、その滑り止め効果が低下しやすいという問題を有していた。
【０００６】
なお、硬質プラスチックス製のデッキパットも提案されているが、スノーボード１のデッキ部分５は、滑降中に緩く曲がる部分であるため、このような硬い素材からなるデッキパットは、デッキ部分５から剥離しやすいという問題も有していた。
【０００７】
本発明は、上述した問題点を解決するために創案されたものである。すなわち本発明の目的は、各突起の中心に心材を形成することで、靴底で氷状になった硬い雪の塊を容易に掻き落とすことができ、デッキ部分に対する足の滑り止め効果を高めると共に、デッキパット自体の耐久性を向上させることができるスノーボード用デッキパットを提供することにある。
【０００８】
【課題を解決するための手段】
本発明によれば、スノーボード（１）のデッキ部分（５）の表面に貼り付けるデッキパット（７）であって、突出方向に挿入孔（１１）を有する軟質合成樹脂材からなる複数個の突起（９）を配置した、前記スノーボード（１）の滑降中の曲がりによるデッキ部分（５）の変形に追従するように軟質合成樹脂材からなるシート材（１０）と、前記突起（９）の挿入孔（１１）にその先端部（１２ａ）が露出すると共に、該突起（９）挿入孔（１１）から簡単に抜けないように挿入した、該突起（９）より硬質の合成樹脂材からなる、先端部（１２ａ）が細く後端部（１２ｂ）が太くなるように形成した心材（１２）と、から成り、前記デッキ部分（５）に、前記シート材（１０）の裏面を貼り付け得るように構成した、ことを特徴とするスノーボード専用デッキパットが提供される。
【００１０】
前記シート材（１０）の中央部分に、前記スノーボード（１）の長手方向に対して直角になるように、該シート材（１０）の素材より硬質の素材からなる雪掻き用のエッジ（１３）を形成することができる。
【００１１】
上記発明の構成では、デッキパット（７）のシート材（１０）の裏面をスノーボード（１）のデッキ部分（５）に貼り付けるだけで、このデッキ部分（５）の滑り止めが行なえ、デッキ部分（５）上で足が滑らないので転倒事故を防止できる。特に、デッキパット（７）の各突起（９）の中心から心材（１２）の先端部（１２ａ）が露出しているので、靴底で氷状になった硬い雪の塊を容易に掻き落とすことができる。そこで、靴底にデッキパット（７）の各突起（９）に挿入した心材（１２）の先端部（１２ａ）が直接接触するようになるために、デッキ部分（５）に対する足の滑り止め効果が高い。
【００１２】
また、突起（９）から心材（１２）の先端部（１２ａ）が露出するように、この心材（１２）を突起（９）に挿入しているので、デッキパット（７）をスノーブーツで何回踏んでも、硬質素材からなる心材（１２）が突起（９）を保護する作用を有し、デッキパット（７）の耐久性を向上させることができる。棒状の心材（１２）は、先端部（１２ａ）が細く後端部（１２ｂ）が太くなるように形成してあるため、突起９の挿入孔１１から簡単に抜けないようになっている。特に、デッキ部分（５）の表面に軟質合成樹脂材からなるシート材（１０）をその裏面から貼り付け得るように構成したので、デッキパット（７）の突起（９）に挿入した心材（１２）はスノーボード（１）の滑降中の曲がりによるデッキ部分（５）の変形に追従することができる。
【００１３】
更に、シート材（１０）に雪掻き用のエッジ（１３）を形成することにより、靴底で氷状の大きく硬くなった雪の塊を容易に掻き落とすことができる。そこで、デッキ部分（５）におけるスノーブーツの滑り止めを確実に行なえる。
【００１４】
【発明の実施の形態】
以下、本発明の好ましい実施の形態を図面を参照して説明する。
図１は本発明のスノーボード用デッキパットの実施の形態を示す平面図である。図２は本発明のスノーボード用デッキパットの他の実施の形態を示す平面図である。図３は複数の突起を示す拡大側断面図である。
本発明のスノーボード用のデッキパット７は、スノーボード１のボード２の上面に設けた一対のビンディング３、４の間に位置するデッキ部分５に貼り付けるものである。このデッキパット７は、シート材１０に１個又は複数個の突起９を配置したものである。このシート材１０は、ポリウレタン等の合成樹脂製の素材からなり、その裏面に接着剤等でデッキ部分５に貼り付ける。
【００１５】
各突起９は、図３に示すように、例えばポリウレタン等の合成樹脂等の軟質素材を略半球状に形成したものである。突起９とシート材１０の素材は、ポリウレタン等の合成樹脂に限定されずに、ある程度の剛性を有するが、滑降中に緩く曲がるスノーボード１のデッキ部分５の変形に追従することができる程度の可撓性を有するものであれば種々の合成樹脂材を用いることができる。
【００１６】
各突起９には、その突出方向に挿入孔１１を形成してある。この挿入孔１１に、棒状の心材１２をその先端部１２ａが露出するように挿入してある。本発明では、棒状の心材１２は、突起９の挿入孔１１から簡単に抜けないように、逆楔形状、即ち先端部１２ａが細く後端部１２ｂが太くなるように形成してある。同時に挿入孔１１の形状もこの心材１２が隙間なく挿入できるように、上端（先端）が狭く、下端（後端）が広く形成してある。この心材１２は、靴底で氷状の硬くなった雪の塊を容易に掻き落とすことができるように、「鋲」として機能する部分であるために、突起９の合成樹脂の素材より硬質の素材、例えばポリカーボネート樹脂やＡＢＳ樹脂等からなるものである。このように構成したスノーボード用のデッキパット７は、スノーボード１のデッキ部分５に貼り付けて使用する。なお、心材１２の先端部１２ａは、突起９の挿入孔１１から露出しないように挿入することもできる。
【００１７】
また、シート材１０の中央部分に、雪掻き用のエッジ１３をスノーボード１の長手方向に対して直角になるように形成する（図１と図２参照）。このエッジ１３は靴底で氷状の硬くなった雪の塊を容易に掻き落とすことができるように、心材１２と同じ素材、例えばポリカーボネート樹脂やＡＢＳ樹脂等からなる硬質の素材を用いる。シート材１０に対するエッジ１３の固定手段としては、シート材１０の中央部分に形成した長孔又は長溝に、横断面形状が逆楔形状のエッジ１３を嵌合するように固定する。このように、雪掻き専用のエッジ１３をデッキパット７に形成することで、靴底で氷状になった大きく硬い雪の塊を容易に掻き落とすことができる。
【００１８】
図４（ａ）、（ｂ）、（ｃ）、（ｄ）は本発明のシート材の他の実施の形態を示す平面図である。
（ａ）は4個の突起を配置した菱形形状のシート材、（ｂ）は4個の突起を配置した四角形状のシート材、（ｃ）は７個の突起を配置した六角形状のシート材、（ｄ）は３個の突起を配置した三角形状のシート材を２個並べたものである。このシート材１０の形状は図１に示すような菱形形状や図２に示すような楕円形状が好ましい。しかし、このシート材１０の形状は、菱形や楕円形状に限定されずに、図示するように、四角形状や六角形状の種々の形状であってもよい。また、シート材１０の大小や突起の配置数は特に限定されない。
【００１９】
なお、本発明は上述した実施の形態に限定されず、滑り止め作用を有する突起９に心材１２を形成することにより、靴底の硬い雪の塊を掻き落とすことができると共に足の滑り止め効果を高めることができる構成であれば、図示した略半球状の突起９と逆楔形状の心材１２のような構成に限定されず、本発明の要旨を逸脱しない範囲で種々変更できることは勿論である。
【００２０】
また、本発明のデッキパット７は、スノーボード１のデッキ部５に貼り付けたものについて説明してあるが、このスノーボード等の雪上遊技用に限定されない。例えば、滑り止め作用と共に耐久性が要求される遊技用具であれば、サーフィンやウインドサーフィン等のマリンスポーツで使用されるスポーツ用品や用具のボードのデッキ部分の表面に貼り付けて使用することができる。
【００２１】
【発明の効果】
上述したように、本発明のスノーボード用デッキパットは、靴底で氷状の硬くなった雪の塊を容易に掻き落とすことができるために、デッキ部分に対する足の滑り止め効果を高めることができる。
【００２２】
また、突起から先端部が露出している心材は、デッキパットをスノーブーツで何回踏んでも、この心材が突起を保護するためにデッキパットの耐久性を向上させることができる、等の効果がある。
【図面の簡単な説明】
【図１】本発明のスノーボード用デッキパットの実施の形態を示す平面図である。
【図２】本発明のスノーボード用デッキパットの他の実施の形態を示す平面図である。
【図３】    突起部分を示す拡大側断面図である。
【図４】本発明のシート材の他の実施の形態を示す平面図であり、（ａ）は4個の突起を配置した菱形形状のシート材、（ｂ）は4個の突起を配置した四角形状のシート材、（ｃ）は７個の突起を配置した六角形状のシート材、（ｄ）は３個の突起を配置した三角形状のシート材を２個並べたものである。
【図５】従来のデッキパットを貼り付けたスノーボードを示す斜視図である。
【図６】従来のデッキパットを貼り付けたスノーボードを示す平面図である。
【符号の説明】
１  スノーボード
５  デッキ部分
７  デッキパット
９  突起
１０  シート材
１１  挿入孔
１２  心材
１２ａ  心材の先端部
１２ｂ  心材の後端部
１３  エッジ
【図１】
0003754633.tif 000002
【図２】
0003754633.tif 000003
【図３】
0003754633.tif 000004
【図４】
0003754633.tif 000005
【図５】
0003754633.tif 000006
【図６】
0003754633.tif 000007